(57)【要約】【課題】光源を実装した基板の厚み方向および側面方向に光源の光を取り出すことにより取付面を有効的に照射することができる照明器具を提供する。【解決手段】照明器具１０は、基板１３と、基板１３に実装された光源１４と、基板１３の厚み方向に沿った線を母線とするとともに、光源１４から離れる方向に拡開する錐状の反射板１６と、反射板１６に設けられて光源１４から基板１３に沿った方向に光を透過する光透過部１５とを備える照明部１２を有する。【選択図】図４
2011103196.tif 000002
【特許請求の範囲】
【請求項１】
基板と、
前記基板に実装された光源と、
前記基板の厚み方向に沿った線を母線とするとともに、前記光源から離れる方向に拡開する錐状の反射板と、
前記反射板に設けられて前記光源から前記基板に沿った方向に光を透過する光透過部とを備える照明部を有する照明器具。
【請求項２】
前記反射板の外側を覆うとともに透光性を有する外殻を備え、
前記光源に近い位置の前記反射板と前記外殻との第１離間寸法よりも前記光源から遠い位置の前記反射板と前記外殻との第２離間寸法が小さい請求項１に記載の照明器具。
【請求項３】
前記外殻が前記光源からの光を拡散透過する請求項１または請求項２に記載の照明器具。
【請求項４】
前記照明部を複数有し、
前記各照明部が同一平面に沿って隣接配置された請求項１ないし請求項３のうちのいずれかに記載の照明器具。
【発明の詳細な説明】
【技術分野】
【０００１】
本発明は、例えば住宅や施設等の天井や壁等の取付面に直接取り付けられる照明器具に関する。
【背景技術】
【０００２】
従来の照明器具の一例として、反射板に、平面正方形状の底面部と、底面部の四方外周縁から表面側に向かって徐々に拡がった状態に延設された周壁部と、からなる凹部を形成し、凹部の底面部の内面にＬＥＤを配置したものがある（例えば、特許文献１参照）。
【先行技術文献】
【特許文献】
【０００３】
【特許文献１】特開２００９−１０３９１６号公報（図３、段落番号００２２，００２３）
【発明の概要】
【発明が解決しようとする課題】
【０００４】
ところが、上記特許文献１に開示された従来の照明器具においては、ＬＥＤの光を基板の鉛直方向に出すことはできるものの、ＬＥＤの光を側面方向に出すことができない。
従って、上記特許文献１に開示された従来の照明器具においては、ＬＥＤの光により、照明器具が取り付けられた取付面を照射することができず、基板の鉛直方向に出した光により取付面に影を生じていた。
【０００５】
加えて、上記特許文献１に開示された従来の照明器具においては、ＬＥＤの上部に反射板を有していない。
従って、上記特許文献１に開示された従来の照明器具においては、ＬＥＤの光がＬＥＤを内蔵している照明部で乱反射してしまい、光を有効に使用することができない。
【０００６】
一方、ＬＥＤの光により取付面を照射できるようにするために、ＬＥＤの上部に拡散パネルを設置した照明器具が提案されている。このような従来の照明器具においては、拡散パネルによりＬＥＤの光を拡散パネルの側部パネルに照射するようにしている。しかし、このような従来の照明器具においては、側部パネルから出射した光が拡散光であるために、取付面への光度が低いとともに、取付面に対する光の照射角が小さくなる。
従って、このような従来の照明器具においては、高い光度で、かつ、大きい照射角で取付面を照射することができない。
【０００７】
本発明は、前述した課題を解決するためになされたものであり、その目的は、光源を実装した基板の厚み方向および側面方向に光源の光を取り出すことにより取付面を有効的に照射することができる照明器具を提供することにある。
【課題を解決するための手段】
【０００８】
本発明に係る照明器具は、基板と、前記基板に実装された光源と、前記基板の厚み方向に沿った線を母線とするとともに、前記光源から離れる方向に拡開する錐状の反射板と、前記反射板に設けられて前記光源から前記基板に沿った方向に光を透過する光透過部とを備える照明部を有する。
【０００９】
本発明においては、光源の光が、光源を実装した基板の厚み方向に出射されるとともに反射板の光透過部を透過することにより基板に沿った方向に出射される。
従って、本発明においては、基板の側面方向に光源の光を取り出すことにより取付面を有効的に照射することができる。
【００１０】
本発明に係る照明器具は、上記照明器具において、前記反射板の外側を覆うとともに透光性を有する外殻を備え、前記光源に近い位置の前記反射板と前記外殻との第１離間寸法よりも前記光源から遠い位置の前記反射板と前記外殻との第２離間寸法が小さい。
【００１１】
本発明においては、反射板と外殻とが平行に配置されず、反射板と外殻とが予め定められた交差角度を設定されて配置される。
従って、本発明においては、光源の光を取付面に対して高い光度で照射できるとともに、取付面に対する大きい照射角で照射できる。
【００１２】
本発明に係る照明器具は、上記照明器具において、前記外殻が前記光源からの光を拡散透過する。
【００１３】
本発明においては、外殻に入射された光源の光が、外殻により拡散配光成分を付与されて取付面に向けて照射される。
従って、本発明においては、取付面に対して光をムラなく照射することができる。
【００１４】
本発明に係る照明器具は、上記照明器具において、前記照明部を複数有し、前記各照明部が同一平面に沿って隣接配置された。
【００１５】
本発明においては、複数の隣接配置された照明部により隣接された方向に沿って取付面を有効に照射することができる。
【発明の効果】
【００１６】
本発明の照明器具によれば、光源の光が、光源を実装した基板の厚み方向に出射されるとともに反射板の光透過部を透過することにより基板に沿った方向に出射される。
これにより、本発明の照明器具によれば、基板の側面方向に光源の光を取り出すことにより取付面を有効的に照射することができるという効果を有する。
【図面の簡単な説明】
【００１７】
【図１】本発明に係る第１実施形態の照明器具に適用される照明部周りの斜め下方から視た外観斜視図
【図２】本発明に係る第１実施形態の照明器具の側面図
【図３】図２の照明器具の底面図
【図４】図２の照明器具の幅方向の垂直断面図
【図５】本発明に係る第２実施形態の照明器具の幅方向の垂直断面図
【図６】本発明に係る第３実施形態の照明器具の幅方向の垂直断面図
【図７】本発明に係る第４実施形態の照明器具の幅方向の垂直断面図
【図８】本発明に係る第５実施形態の照明器具の幅方向の垂直断面図
【図９】本発明に係る第６実施形態の照明器具の底面図
【図１０】図９の照明器具の長手方向の垂直断面図
【図１１】本発明に係る第７実施形態の照明器具の底面図
【図１２】本発明に係る第８実施形態の照明器具の幅方向の垂直断面図
【図１３】本発明に係る第９実施形態の照明器具の幅方向の垂直断面図
【図１４】本発明に係る第１０実施形態の照明器具の幅方向の垂直断面図
【図１５】本発明に係る第１１実施形態の照明器具の幅方向の垂直断面図
【図１６】本発明に係る第１２実施形態の照明器具の幅方向の垂直断面図
【発明を実施するための形態】
【００１８】
以下、本発明の複数の実施形態に係る照明器具について図面を参照して説明する。
【００１９】
（第１実施形態）
本発明の第１実施形態である照明器具１０は、天井面等の取付面１に取付られる器具本体１１と、照明部１２と、を備え、照明部１２に、器具本体１１に支持される基板１３と、基板１３に実装されたＬＥＤ（光源）（発光ダイオード）１４と、光透過部１５を形成した反射板１６とを有し、反射板１６の外側を覆うとともに透光性を有する外殻１７を有する。
【００２０】
図１に示すように、照明部１２は、反射板１６が、４個の非透光性反射板部１８により基板１３の厚み方向に沿った線を母線として光源１４から離れる方向に拡開する四角錐状に形成されており、一対の対向する非透光性反射板部１８の基板１３寄りに、所定の開口面積を有する光透過部１５が形成されている。反射板１６は表面および裏面が白色等の反射面を有する。
【００２１】
図２、図３に示すように、照明器具１０は、照明部１２を複数有し、各照明部１２が同一平面に沿って直線状に隣接配置されている。照明部１２は、光透過部１５が照明器具１０の側部にそれぞれ並べて配置されている。
【００２２】
図４に示すように、照明器具１０は、金属製の器具本体１１が、天板１９と、天板１９の両側部に接合された一対の側板２０と、側板２０の両端部に接続された底板２１と、器具本体１１の両端部および外殻１７と反射板１６との両端部を閉塞するための非透光性の端板２２と、を有し、器具本体１１の一部を構成するアダプタ２３を介して底板２１に外殻１７が取り付けられている。器具本体１１は、底板２１と外殻１７との接点Ａよりも取付面１に向かって広がる傾斜面２４を有して取付面１に向かって広がる台形状に形成されている。傾斜面２４は、外殻１７に有する側面パネル２５に対してほぼ９０度の角度θ１を有して傾斜している。器具本体１１は、その内部に安定器２６が取り付けられている。
【００２３】
外殻１７は、ＬＥＤ１４を通過するとともに基板１３の厚み方向に沿った線に対してＬＥＤ１４に近い位置よりもＬＥＤ１４から遠い位置が離れた線に沿い、かつ、器具本体１１よりも外殻１７におけるＬＥＤ１４から離れた頂部２７が、取付面１に対して平行な方向、かつ、ＬＥＤ１４から離れる方向に鋭角で突出されている。
【００２４】
外殻１７は、例えば樹脂材料により器具本体１１の長手方向に長さを有して成形されており、底部に配置された正面パネル２８と、側部に一対に配置された側面パネル２５と、を有する。正面パネル２８には、その裏面に複数のリブ２９が形成されている。側面パネル２５には、その表面に梨地３０が形成されている。側面パネル２５は、梨地３０によりＬＥＤ１４からの光を拡散透過させて、その光に拡散配光成分を付与する。リブ２９は正面パネル２８の裏面に代えて正面パネル２８の表面に形成されてもよい。同様にして、梨地３０は側面パネル２５の裏面に代えて側面パネル２５の表面に形成されてもよい。また、正面パネル２８および側面パネル２５はプリズムとしても良い。
【００２５】
反射板１６は、ＬＥＤ１４に近い位置と外殻１７との第１離間寸法Ｌ１よりもＬＥＤ１４から遠い位置と外殻１７との第２離間寸法Ｌ２が小さい。そのため、反射板１６は、外殻１７の側面パネル２５に対して平行に配置されず、予め定められた交差角度θ２を設定されて組付けられている。
【００２６】
このような照明器具１０は、器具本体１１が取付面１に接して取り付けられる。安定器２６を通じてＬＥＤ１４に通電されることによりＬＥＤ１４が発光される。ＬＥＤ１４の光は、基板１３の厚み方向に出射された光α１になるとともに基板１３に沿った方向に出射されて反射板１６の光透過部１５を透過する光α２になる。
【００２７】
基板１３の厚み方向に出射された光α１は、例えば以下に示す３つのパターンにより下方である床面側に向けて出射される。
１つめのパターンとして、光α１は、外殻１７の正面パネル２８に入射されてから、下方である床面側に向けて出射される。
２つめのパターンとして、光α１は、反射板１６の非透光性反射板部１８に向かって進行され、非透光性反射板部１８の裏面で反射した後に外殻１７の正面パネル２８に入射されてから、下方である床面側に向けて出射される。
３つめのパターンとして、光α１は、外殻１７の正面パネル２８に有するリブ２９により反射されて反射板１６の非透光性反射板部１８に向かって進行され、非透光性反射板部１８の裏面で反射した後に外殻１７の正面パネル２８に入射されてから、下方である床面側に向けて出射される。
第１実施形態の照明器具１０は、非透光性反射板部１８が設けられているため、１つめのパターン以外にも２つめのパターン、３つめのパターンにより光α１が床面側に向けて出射され、光の取出率が向上する。
【００２８】
基板１３に沿った方向に出射された光α２は、反射板１６の光透過部１５を透過した後に外殻１７の側面パネル２５に入射される。このとき、側面パネル２５で反射されずに側面パネル２５内に入光された光α３は、側面パネル２５内で屈折された後、梨地３０により拡散配光成分を付与されて取付面１に向けられる。
そして、光α３は器具本体１１の傾斜面２４に沿って進行されて取付面１を照射する。
【００２９】
一方、側面パネル２５内に入光されず、側面パネル２５で反射された光α４は、反射板１６の非透光性反射板部１８の表面で反射した後に側面パネル２５に再度入光され、側面パネル２５内で屈折された後、梨地３０により拡散配光成分を付与されて取付面１に向けられる。
そして、光α４は、器具本体１１の傾斜面２４に沿って進行されて取付面１を照射する。
【００３０】
ここで、外殻１７に入光された光のうち、外殻１７の頂部２７に進行された光α５は、頂部２７が取付面１に対して平行な方向、かつ、ＬＥＤ１４から離れる方向に鋭角で突出されているために、頂部２７から取付面１に向けて出射されて取付面１を照射することになる。
【００３１】
以上説明してきたように、本発明の第１実施形態の照明器具１０では、ＬＥＤ１４の光が、ＬＥＤ１４を実装した基板１３の厚み方向に出射されるとともに反射板１６の光透過部１５を透過することにより基板１３に沿った方向に出射される。
従って、本発明の第１実施形態の照明器具１０では、基板１３の側面方向にＬＥＤ１４の光を取り出すことにより取付面１を有効的に照射することができる。
【００３２】
本発明の第１実施形態の照明器具１０では、反射板１６と外殻１７の側面パネル２５とが平行に配置されず、反射板１６と側面パネル２５とが予め定められた交差角度θ２を設定されて配置される。
従って、本発明の第１実施形態の照明器具１０では、ＬＥＤ１４の光を取付面１に対して高い光度で照射できるとともに、取付面１に対する大きな照射角で照射できる。
【００３３】
本発明の第１実施形態の照明器具１０では、外殻１７の側面パネル２５に入射されたＬＥＤ１４の光が、側面パネル２５の梨地３０により拡散配光成分を付与されて取付面１に向けて照射される。
従って、本発明の第１実施形態の照明器具１０では、取付面１に対してＬＥＤ１４の光をムラなく照射することができる。
【００３４】
本発明の第１実施形態の照明器具１０では、複数の隣接配置された照明部１２により隣接された方向に沿って取付面１を有効に照射することができる。
【００３５】
本発明の第１実施形態の照明器具１０では、外殻１７が、ＬＥＤ１４に近い位置よりもＬＥＤ１４から遠い位置が離れた傾いた形状を有し、ＬＥＤ１４の光が、外殻１７に入光した後にＬＥＤ１４から離れた頂部２７から取付面１に向けて照射される。
従って、本発明の第１実施形態の照明器具１０では、ケラレを生ずることなく取付面１を明暗なく照射できるため、空間の明るさ感を増すことができ、同じ机上面照度の場合は照度を下げて省エネを図っても暗さ感を与えない。
【００３６】
本発明の第１実施形態の照明器具１０では、取付面１に向かうＬＥＤ１４の光が、器具本体１１の傾斜面２４に沿いながら器具本体１１を避けて進行される。
従って、本発明の第１実施形態の照明器具１０では、ＬＥＤ１４の光が器具本体１１を照射することがなく、取付面１に対してケラレを生ずることがない。
【００３７】
本発明の第１実施形態の照明器具１０では、取付面１に向かうＬＥＤ１４の光が、器具本体１１の台形状に沿いながら器具本体１１を避けて進行される。
従って、本発明の第１実施形態の照明器具１０では、ＬＥＤ１４の光が器具本体１１を照射することがなく、取付面１に対して明暗のない照射を行うことができる。
【００３８】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３９】
図５に示すように、本発明の第２実施形態の照明器具４０は、一対の対向する非透光性反射板部１８の基板１３寄りに透光性を有する透明板からなる光透過部４１が形成されている。
【００４０】
第２実施形態の照明器具４０は、第１実施形態と同様の作用効果を奏する。特に、本実施形態では、光透過部４１が、非透光性反射板部１８にダブルモールド（二色成形）されることにより一体成形されるために、開口を設ける場合と比較して工数の減少を図れるととともに剛性を向上できる。
【００４１】
（第３実施形態）
次に、本発明の第３実施形態の照明器具について説明する。
図６に示すように、本発明の第３実施形態の照明器具５０は、正面パネル５２の両端部に側面パネル５３を直交させて接続した外殻５１が適用されている。
【００４２】
第３実施形態の照明器具５０は、第１実施形態と同様の作用効果を奏する。特に、本実施形態では、外殻５１の側面パネル５３と器具本体１１の側板２０とにより同一垂直面が形成されるために、器具本体１１の影を生ずることなく取付面１を確実に照射することができる。
【００４３】
（第４実施形態）
次に、本発明の第４実施形態の照明器具について説明する。
図７に示すように、本発明の第４実施形態の照明器具６０は、外殻１７の側面パネル２５に対して平行に配置された反射板６１が適用されている。
【００４４】
第４実施形態の照明器具６０は、第１実施形態と同様の作用効果を奏する。特に、本実施形態では、反射板６１と側面パネル２５とが平行に配置されるために、ＬＥＤ１４の光を取付面１に対して予め定められた光度で照射できるとともに、取付面１に対する予め定められた照射角で照射できる。
【００４５】
（第５実施形態）
次に、本発明の第５実施形態の照明器具について説明する。
図８に示すように、本発明の第５実施形態の照明器具７０は、頂部７２が器具本体１１の側板２０よりも外側に十分に突出された外殻７１が適用されている。照明器具７０は、ＬＥＤ１４に近い位置の反射板１６と外殻７１との第１離間寸法Ｌ１よりもＬＥＤ１４から遠い位置の反射板１６と外殻７１との第２離間寸法Ｌ２が大きい。そのため、照明器具７０は、反射板１６と外殻７１の側面パネル２５とが予め定められた交差角度θ３を設定されて組付けられている。
【００４６】
第５実施形態の照明器具７０は、第１実施形態と同様の作用効果を奏する。特に、本実施形態では、外殻７１の頂部７２が器具本体１１の側板２０よりも側部へ向けて大きく張り出している。そのため、本実施形態では、外殻７１の頂部７２に進行された光α５が、器具本体１１の側板２０に影響されることなく、頂部７２から取付面１に向けて進行されることにより、光α５によって器具本体１１の影を生ずることなく取付面１を確実に照射することができる。
【００４７】
（第６実施形態）
次に、本発明の第６実施形態の照明器具について説明する。
図９、図１０に示すように、本発明の第６実施形態の照明器具８０は、両端の照明部１２において反射板１６の３方向に光透過部１５が配置されている。
【００４８】
第６実施形態の照明器具８０は、第１実施形態と同様の作用効果を奏する。特に、本実施形態では、両端の照明部１２が、光透過部１５を通じて照明器具８０の長手方向の両端部から取付面１を照射する光を創生するために、器具本体１１の長さ寸法を小さくしてコンパクト化を図ることができる。
【００４９】
（第７実施形態）
次に、本発明の第７実施形態の照明器具について説明する。
図１１に示すように、本発明の第７実施形態の照明器具９０は、照明部１２を複数有し、各照明部１２が同一平面に沿って四角形状に隣接配置されており、端部の照明部１２において反射板１６の端部を形成する２方向に光透過部１５が配置されている。
【００５０】
第７実施形態の照明器具９０は、第１実施形態と同様の作用効果を奏する。特に、本実施形態では、照明器具９０の長手方向の側部側に加えて幅方向の側部側、すなわち、照明器具９０の全周の取付面１を確実に照射することができる。
【００５１】
（第８実施形態）
次に、本発明の第８実施形態の照明器具について説明する。
図１２に示すように、本発明の第８実施形態の照明器具１００は、外殻１７の側面パネル２５に対してほぼ１２０度の角度θ４を有して傾斜させた側板（傾斜面）１０２を有する器具本体１０１が適用されている。
【００５２】
第８実施形態の照明器具１００は、第１実施形態と同様の作用効果を奏する。特に、本実施形態では、器具本体１０１の側板１０２が外殻１７の側面パネル２５に対して大きな角度で傾斜されているために、ＬＥＤ１４の光を器具本体１０１に干渉させずに、器具本体１０１の影を生ずることなく取付面１を確実に照射することができる。
【００５３】
（第９実施形態）
次に、本発明の第９実施形態の照明器具について説明する。
図１３に示すように、本発明の第９実施形態の照明器具１１０は、アダプタ２３が取付面１に直接取り付けられている。
【００５４】
第９実施形態の照明器具１１０は、第５実施形態と同様の作用効果を奏する。特に、本実施形態では、外殻１７の幅寸法に対してアダプタ２３の幅寸法が十分に小さいために、外殻１７の頂部２７がアダプタ２３よりも側部へ向けて大きく張り出している。これにより、本実施形態では、外殻１７の側面パネル２５から出射した光および頂部２７から出射された光がアダプタ２３の影響を受けずに取付面１に向けて進行されて、取付面１を確実に照射することができる。
【００５５】
（第１０実施形態）
次に、本発明の第１０実施形態の照明器具について説明する。
図１４に示すように、本発明の第１０実施形態の照明器具１２０は、器具本体１２１の側板１２２の幅寸法がアダプタ２３の幅寸法に略同一に形成されている。
【００５６】
第１０実施形態の照明器具１２０は、第５実施形態と同様の作用効果を奏する。特に、本実施形態では、器具本体１２１の影響を受けずに、外殻１７を介して出射されたＬＥＤ１４の光により取付面１を確実に照射することができる。
【００５７】
（第１１実施形態）
次に、本発明の第１１実施形態の照明器具について説明する。
図１５に示すように、本発明の第１１実施形態の照明器具１３０は、例えば取付面１を照らしたい場合を例示したものであり、壁面２に沿って取付面１に取り付けられる。そのため、照明器具１３０は、反射板１３１の壁面２側および外殻１３２の壁面２側の側面パネル１３３が反射用としてダミーにされている。
【００５８】
第１１実施形態の照明器具１３０は、第１実施形態と同様の作用効果を奏する。特に、本実施形態では、取付面１を照らしたい場合、取付面１に加えて壁面２へも影のない光を照射することができるので、部屋全体の光の照射を行うことができる。
【００５９】
（第１２実施形態）
次に、本発明の第１２実施形態の照明器具について説明する。
図１６に示すように、本発明の第１２実施形態の照明器具１４０は、外殻１７の側面パネル２５に対してほぼ４５度の角度θ５を有して傾斜させた底板１４２を有する器具本体１４１が適用されている。
【００６０】
第１２実施形態の照明器具１４０は、第１実施形態と同様の作用効果を奏する。特に、本実施形態では、器具本体１４１の影響を受けずに、外殻１７を介して出射されたＬＥＤ１４の光により取付面１を確実に照射することができる。
【００６１】
なお、前記各実施形態で使用した基板１３、ＬＥＤ１４等は例示したものに限定するものではなく適宜変更が可能である。
【符号の説明】
【００６２】
１０、４０、５０、６０、７０、８０、９０、１００、１１０、１２０、１３０、１４０  照明器具
１２  照明部
１３  基板
１４  ＬＥＤ（光源）
１５、４１  光透過部
１６、６１、１３１  反射板
１７、５１、７１、１３２  外殻
【図１】
2011103196.tif 000003
【図２】
2011103196.tif 000004
【図３】
2011103196.tif 000005
【図４】
2011103196.tif 000006
【図５】
2011103196.tif 000007
【図６】
2011103196.tif 000008
【図７】
2011103196.tif 000009
【図８】
2011103196.tif 000010
【図９】
2011103196.tif 000011
【図１０】
2011103196.tif 000012
【図１１】
2011103196.tif 000013
【図１２】
2011103196.tif 000014
【図１３】
2011103196.tif 000015
【図１４】
2011103196.tif 000016
【図１５】
2011103196.tif 000017
【図１６】
2011103196.tif 000018